(57)【要約】【課題】陸上及び水中のいずれにおいても使用可能であって、陸上でも水中においても周囲の音の聞こえを妨げず、外耳道が水で満たされていてもいなくても、出力された音声を利用者が聞き取ることができる音声振動出力装置を提供する。【解決手段】音声振動出力装置１００は、音声に対応して振動する圧電バイモルフ素子により形成された振動子１１１と、人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路１３１を有し、振動子１１１の振動により振動する挿入部１３０とを備える。【選択図】図１
2014107828.tif 000002
【特許請求の範囲】
【請求項１】
音声に対応して振動する圧電バイモルフ素子により形成された振動子と、
人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路を有し、前記振動子の振動により振動する挿入部と、
を備える音声振動出力装置。
【請求項２】
請求項１に記載の音声振動出力装置において、
前記貫通路の面は、少なくとも一部に親水性を高める処理が施されていること、
を特徴とする音声振動出力装置。
【請求項３】
請求項１又は請求項２に記載の音声振動出力装置において、
前記挿入部は、筒状に形成されていること、
を特徴とする音声振動出力装置。
【請求項４】
請求項１から請求項３までのいずれか１項に記載の音声振動出力装置において、
前記振動子を内蔵するケースを有し、
前記振動子は、前記ケース内に設けられた空間において一方の面が前記ケースの内壁面に接合されており、他方の面側は、前記ケースとの間に空隙を有して配置されており、
前記ケースは、前記挿入部の前記貫通路に沿って設けられていること、
を特徴とする音声振動出力装置。
【請求項５】
請求項１に記載の音声振動出力装置において、
外耳道内に挿入されない位置にあって、前記挿入部に振動を伝達可能に接続された非挿入部を備え、
前記貫通路は、前記挿入部から前記非挿入部にわたって形成されて外部と繋がれていること、
を特徴とする音声振動出力装置。
【請求項６】
請求項５に記載の音声振動出力装置において、
前記非挿入部の内部に設けられ、前記振動子を内蔵するケースを有し、
前記振動子は、前記ケース内に設けられた空間において一方の面が前記ケースの内壁面に接合されており、他方の面側は、前記ケースとの間に空隙を有して配置されていること、
を特徴とする音声振動出力装置。
【請求項７】
請求項１から請求項６までのいずれか１項に記載の音声振動出力装置において、
音響信号を前記振動子の電気信号へ変換する駆動部を備えること、
を特徴とする音声振動出力装置。
【請求項８】
請求項７に記載の音声振動出力装置において、
音響信号に対して周波数特性を変更するイコライザ部を有すること、
を特徴とする音声振動出力装置。
【請求項９】
請求項８に記載の音声振動出力装置において、
前記イコライザ部は、２〜５ｋＨｚの周波数帯域の音を抑制することによる音漏れ軽減機能を有すること、
を特徴とする音声振動出力装置。
【発明の詳細な説明】
【技術分野】
【０００１】
本発明は、音声に応じて振動を行い、振動を介して音声を人体に伝える音声振動出力装置に関するものである。
【背景技術】
【０００２】
特許文献１には、骨伝導と気導音を利用した水泳用の骨伝導イヤホンが開示されている。この特許文献１には、外耳道が水で塞がれた場合、骨伝導で聞くことができる旨の記載がある。しかし、実際は、当該特許文献１の（００１４）段落にも記されているとおり、骨伝導による音量は小さい。そして、外耳道が水で塞がれている場合は、人体や水以外の物体で耳を塞いでいる状態ではないため、水が動くことで音が発生し、また、周囲に音がある場合は聞きづらかった。よって、特許文献１の骨伝導イヤホンでは、水が動くことで音が発生することがあり、また、周囲の音がある場合は、耳穴を人体や水以外の物体で塞いで聞く必要があった。また、骨伝導イヤホンでは、音量を充分に大きくするように骨伝導を利用して聞こうとすると、振動が大きくなり振動が不快と感じることもあり、同時に消費電力も大きくなってしまう。また、仮に、人体や水以外の物体で耳穴を塞いでしまうと、周囲の音を聞くことができないという問題もあった。
【０００３】
また、特許文献２には、円筒状の筺体内に圧電素子を設置した圧電式イヤホンが開示されている。
特許文献２の方式は、音響（気導音）を鼓膜側へ出力するものであって、筺体から振動を人体に対して積極的に伝えていないほか、筺体に振動を伝えることで得られる気導音発生効果の利用もない。
また、特許文献２の圧電式イヤホンには、円筒の外気側に外気圧平衡用の穴がある。しかし、この穴は、穴としては小さく積極的に外気から伝わる音を遮断せず伝えることができなかった。また、特許文献２の圧電式イヤホンは、水中での利用を想定したものではなく、仮に水中で使用したとしても、上述の穴が小さいことから、この穴を通して水が耳穴に入ることは期待できなかった。
【先行技術文献】
【特許文献】
【０００４】
【特許文献１】特開２００９−１１８４４４号公報
【特許文献２】特許２８８２３４６号公報
【発明の概要】
【発明が解決しようとする課題】
【０００５】
本発明の課題は、陸上及び水中のいずれにおいても使用可能であって、陸上でも水中においても周囲の音の聞こえを妨げず、外耳道が水で満たされていてもいなくても、出力された音声を利用者が聞き取ることができる音声振動出力装置を提供することである。
また、本発明の他の課題は、ゴーグル等のバンドを用いなくとも音声を聴覚器官に伝えることができるよう耳に装着することができ、部品点数が少なく、構造が簡易であり、音量も大きく、軽量かつ小型で、電池を電源として駆動できる音声振動出力装置を提供することである。
さらに、本発明の他の課題は、周波数特性が改善され、音漏れも軽減された音声振動出力装置を提供することである。
【課題を解決するための手段】
【０００６】
本発明は、上記の課題を解決するために、以下の事項を提案している。なお、理解を容易にするために、本発明の実施形態に対応する符号を付して説明するが、これに限定されるものではない。
【０００７】
（１）本発明は、音声に対応して振動する圧電バイモルフ素子により形成された振動子（１１１，２１１）と、人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路（１３１，２３１，３３１）を有し、前記振動子の振動により振動する挿入部（１３０，２３０，３３０）と、を備える音声振動出力装置（１００，２００，３００）を提案している。
【０００８】
この発明によれば、振動子は、音声に対応して振動する圧電バイモルフ素子により形成されている。挿入部は、人体の外耳道内に挿入可能に形成され、かつ、外耳道内に挿入された状態においても外耳道を塞がないように外耳道内部と外部とを外耳道内部側から外部側へ向かうほど、断面積が大きくなる断面形状で繋ぐ少なくとも１つの貫通路を有し、前記振動子の振動により振動する。したがって、音声振動出力装置は、陸上及び水中のいずれにおいても使用可能であって、陸上でも水中においても周囲の音の聞こえを妨げず、外耳道が水で満たされていてもいなくても、出力された音声を利用者が聞き取ることができる。また、音声振動出力装置は、ゴーグル等のバンドを用いなくとも音声を聴覚器官に伝えることができるよう耳に装着することができ、部品点数が少なく、構造が簡易であり、音量も大きく、軽量かつ小型で、電池を電源として駆動できる。また、貫通路は、外耳道内部側から外部側へ向かうほど、断面積が大きくなっているので、音声振動出力装置は、貫通路への水の侵入が容易になり、また、外界の音を聞きやすくできる。
【０００９】
（２）本発明は、（１）の音声振動出力装置において、前記貫通路の面は、少なくとも一部に親水性を高める処理が施されていること、を特徴とする音声振動出力装置を提案している。
【００１０】
この発明によれば、貫通路の面は、少なくとも一部に親水性を高める処理が施されている。したがって、音声振動出力装置は、貫通路への水の侵入が容易になる。
【００１１】
（３）本発明は、（１）又は（２）の音声振動出力装置において、前記挿入部（１３０）は、筒状に形成されていること、を特徴とする音声振動出力装置（１００）を提案している。
【００１２】
この発明によれば、挿入部は、筒状に形成されている。したがって、貫通路を有した挿入部を簡単に作成可能である。
【００１３】
（４）本発明は、（１）から（３）までのいずれかに記載の音声振動出力装置において、前記振動子を内蔵するケースを有し、前記振動子は、前記ケース内に設けられた空間において一方の面が前記ケースの内壁面に接合されており、他方の面側は、前記ケースとの間に空隙を有して配置されており、前記ケースは、前記挿入部の前記貫通路に沿って設けられていること、を特徴とする音声振動出力装置を提案している。
【００１４】
この発明によれば、ケースは、振動子を内蔵する。振動子は、ケース内に設けられた空間において一方の面がケースの内壁面に接合されており、他方の面側は、ケースとの間に空隙を有して配置されている。ケースは、筒状に形成された挿入部の貫通路に沿って設けられている。したがって、音声振動出力装置は、振動子の振動を阻害することなく、振動子の外力による破損を防止できる。
【００１５】
（５）本発明は、（１）に記載の音声振動出力装置において、外耳道内に挿入されない位置にあって、前記挿入部（２３０）に振動を伝達可能に接続された非挿入部（２５０）を備え、前記貫通路（２３１）は、前記挿入部から前記非挿入部にわたって形成されて外部と繋がれていること、を特徴とする音声振動出力装置（２００）を提案している。
【００１６】
この発明によれば、非挿入部は、外耳道内に挿入されない位置にあって、挿入部に振動を伝達可能に接続されている。貫通路は、挿入部から非挿入部にわたって形成されて外部と繋がれている。したがって、音声振動出力装置は、非挿入部に、より大きな振動子を配置することが可能となる。また、挿入部を小型に形成可能である。
【００１７】
（６）本発明は、（５）に記載の音声振動出力装置において、前記非挿入部（２５０）の内部に設けられ、前記振動子（２１１）を内蔵するケース（２１２，２１４）を有し、前記振動子は、前記ケース内に設けられた空間において一方の面が前記ケースの内壁面に接合されており、他方の面側は、前記ケースとの間に空隙（Ｓ）を有して配置されていること、を特徴とする音声振動出力装置（２００）を提案している。
【００１８】
この発明によれば、ケースは、非挿入部の内部に設けられ、振動子を内蔵する。振動子は、ケース内に設けられた空間において一方の面がケースの内壁面に接合されており、他方の面側は、ケースとの間に空隙を有して配置されている。したがって、音声振動出力装置は、振動子の振動を阻害することなく、振動子の外力による破損を防止できる。
【００１９】
（７）本発明は、（１）から（６）までのいずれか１項に記載の音声振動出力装置において、音響信号を前記振動子（１１１，２１１）の電気信号へ変換する駆動部（１５０）を備えること、を特徴とする音声振動出力装置（１００，２００，３００）を提案している。
【００２０】
この発明によれば、駆動部は、音響信号を前記振動子の電気信号へ変換する。したがって、音声振動出力装置は、外部に駆動部を用意することなく、単体で音声振動の出力を行える。
【００２１】
（８）本発明は、（７）に記載の音声振動出力装置において、音響信号に対して周波数特性を変更するイコライザ部（１５１）を有すること、を特徴とする音声振動出力装置（１００，２００，３００）を提案している。
【００２２】
この発明によれば、イコライザ部は、音響信号に対して周波数特性を変更する。したがって、音声振動出力装置は、音響特性を調整可能である。よって、例えば、水中と陸上とで使用状況に適した周波数特性に調整して、いずれの状況下においても聞こえやすい音声伝達を実現できる。
【００２３】
（９）本発明は、（８）に記載の音声振動出力装置において、前記イコライザ部（１５１）は、２〜５ｋＨｚの周波数帯域の音を抑制することによる音漏れ軽減機能を有すること、を特徴とする音声振動出力装置（１００，２００，３００）を提案している。
【００２４】
この発明によれば、イコライザ部は、２〜５ｋＨｚの周波数帯域の音を抑制することによる音漏れ軽減機能を有する。したがって、音声振動出力装置は、周波数特性が改善され、音漏れを軽減でき、利用者は、周囲を気にすることなく大きな音で音声を聞くことができる。
【発明の効果】
【００２５】
本発明によれば、音声振動出力装置は、陸上及び水中のいずれにおいても使用可能であって、陸上でも水中においても周囲の音の聞こえを妨げず、外耳道が水で満たされていてもいなくても、出力された音声を利用者が聞き取ることができるという効果がある。
また、本発明によれば、音声振動出力装置は、ゴーグル等のバンドを用いなくとも音声を聴覚器官に伝えることができるよう耳に装着することができ、部品点数が少なく、構造が簡易であり、音量も大きく、軽量かつ小型で、電池を電源として駆動できるという効果がある。
さらに、本発明によれば、音声振動出力装置は、周波数特性が改善され、音漏れも軽減されるという効果がある。
【図面の簡単な説明】
【００２６】
【図１】第１実施形態の音声振動出力装置１００を示す断面図である。
【図２】音声振動出力装置１００を図１中の矢印Ａ側から見た図である。
【図３】音声振動出力装置１００の使用状態を示すブロック図である。
【図４】第２実施形態の音声振動出力装置２００を示す断面図である。
【図５】振動発生部２１０を振動部２１２の平面の法線方向から透視して示した図である。
【図６】図５中に矢印で示したＤ−Ｄ断面を示す図である。
【図７】第３実施形態の音声振動出力装置３００を第１実施形態の図２と同様な方向から見た図である。
【発明を実施するための形態】
【００２７】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００２８】
（第１実施形態）
図１は、第１実施形態の音声振動出力装置１００を示す断面図である。
図２は、音声振動出力装置１００を図１中の矢印Ａ側から見た図である。
なお、図１及び図２を含め、以下に示す各図は、模式的に示した図であり、各部の大きさ、形状は、理解を容易にするために、適宜誇張して示している。
音声振動出力装置１００は、振動子１１１と、配線１２０と、挿入部１３０と、当接部材１４０とを備えた、イヤホンとして用いることができる装置である。
【００２９】
振動子１１１は、挿入部１３０の円筒壁部分に振動可能な状態で固定されて内蔵されており、挿入部１３０と一体化している。また、振動子１１１は、後述する貫通路１３１に沿うように配置されている。振動子１１１の詳細については、後述する。
【００３０】
配線１２０は、振動子１１１と後述する駆動部１５０とを接続するケーブルである。配線１２０の一端は、後述する振動子１１１に接続されている。また、配線１２０の他端は、駆動部１５０へ接続されている。
【００３１】
挿入部１３０は、外周に当接部材１４０が取り付けられており、当接部材１４０と共に、人体の外耳道内に挿入可能に形成されている。挿入部１３０は、振動を外耳道及び外耳道に満たされる水や海水、及び、空気に伝える。挿入部１３０は、略円筒形状に形成されており、中央部に貫通路１３１が貫通形成されている。貫通路１３１は、挿入部１３０が外耳道内に挿入された状態においても外耳道を塞がないように外耳道内部と外部とを外耳道内部側から外部側へ向かうほど、断面積が大きくなる断面形状で繋ぐ。この貫通路１３１は、水がその表面張力により侵入を妨げられることなく容易に通過できるように、また外界の音が大きく減衰することのないように、充分に大きな断面形状として略円筒形状の場合直径３．５ｍｍ以上とすることが望ましい。なお、挿入部が円筒形状ではなく、貫通路の断面形状が円形ではない場合には、直径３．５ｍｍの円形の場合と同等以上の断面積を確保するようにすることが望ましい。出願人の検討の結果、この面積以上の断面積を確保すると、本発明の貫通路として必要な機能を発揮することができる。
また、挿入部１３０には、上述したように振動子１１１が内蔵されており、この振動子１１１の振動により振動する。
【００３２】
当接部材１４０は、挿入部１３０の外周に着脱可能に取り付けられ、外耳道の内壁に直接当接する部材である。当接部材１４０は、例えば、シリコンゴムや軟質フォーム等により形成されており、肌触りの感触を良好にして装着時に痛くならず快適に装着可能とし、また、脱落防止の作用も有している。
また、当接部材１４０は、挿入部１３０と共に振動子１１１の振動により振動する。
【００３３】
振動子１１１は、アンプ部１５２により増幅された可聴周波数帯域の音響信号に基づいて、駆動部１５０が生成した駆動信号により駆動されて、音響信号に応じた振動を行う。
本実施形態の振動子１１１は、圧電セラミックを用いた圧電バイモルフ素子であり、ベンディングモード（撓み振動）で駆動する。振動子１１１に使用する圧電材料は、高変位な圧電材料を積層した素子であり、アンプから音響信号に忠実な電圧を圧電素子へ印加することにより、振動子１１１は、（結果として）音響信号を再現するように振動する。
本実施形態では、図１に示すように、挿入部１３０の筒方向に沿って振動子１１１がモールドされている。振動子１１１の固定方法は、振動子１１１を破断しないよう、人の押し圧力で生じる曲げに強い樹脂（例えば、アクリル樹脂、エポキシ樹脂等）で固定し、防水絶縁に対応するよう軟質樹脂（シリコーン等）でモールドするとよい。
【００３４】
図３は、音声振動出力装置１００の使用状態を示すブロック図である。
音声振動出力装置１００には、駆動部１５０が設けられている。
駆動部１５０は、イコライザ部１５１と、アンプ部１５２とを備え、音響信号を振動子１１１の駆動に用いる電気信号へ変換する。また、図示していないが、駆動部１５０には、音声振動出力装置１００の電源となる電池が設けられている。本実施形態の音声振動出力装置１００は、圧電バイモルフ素子を振動子１１１に用いているので、消費電力が少なく、電池も小型のもので充分である。
【００３５】
イコライザ部１５１は、周波数イコライジングを行う。イコライザ部１５１は、再生機器１６０の出力部１６１から得た音響信号に、周波数イコライジングを行って、アンプ部１５２へ送る。本実施形態では、イコライザ部１５１は、２〜５ｋＨｚの周波数帯域の音を抑制するように周波数イコライジングを行う。２〜５ｋＨｚの周波数帯域の音は、音漏れとして耳に付きやすい。よって、イコライザ部１５１は、２〜５ｋＨｚの周波数帯域の出力を抑制することにより、音漏れを軽減する音漏れ軽減機能として作用する。また、イコライザ部１５１は、水中での使用と陸上での使用とで周波数特性を調整して、水中、陸上のそれぞれの環境下において聞き取りやすい音声振動伝達を行うようにしてもよい。
【００３６】
アンプ部１５２は、イコライザ部１５１から送られた音響信号を増幅して振動子１１１へ伝える。
【００３７】
以上説明したように、第１実施形態によれば、音声振動出力装置１００は、挿入部１３０に貫通路１３１を備える。よって、音声振動出力装置１００は、陸上及び水中のいずれにおいても使用可能であって、陸上でも水中においても周囲の音の聞こえを妨げず、外耳道が水で満たされていてもいなくても、出力された音声を利用者が聞き取ることができる。また、音声振動出力装置１００は、ゴーグル等のバンドを用いなくとも音声を聴覚器官に伝えることができるよう耳に装着することができ、部品点数が少なく、構造が簡易であり、音量も大きく、軽量かつ小型で、電池を電源として駆動できる。さらに、貫通路１３１は、外耳道内部側から外部側へ向かうほど、断面積が大きくなる断面形状になっているので、貫通路１３１への水の侵入が容易になり、また、外界の音を聞きやすくできる。
【００３８】
（第２実施形態）
図４は、第２実施形態の音声振動出力装置２００を示す断面図である。
音声振動出力装置２００は、振動発生部２１０と、配線２２０と、挿入部２３０と、当接部材２４０と、非挿入部２５０とを備えている。
なお、第２実施形態の音声振動出力装置２００は、上述した構成の他、第１実施形態の音声振動出力装置１００と同様な駆動部１５０を備えているが、これについては、第１実施形態と同様であるので、第１実施形態と同一の符号を付して、重複する説明を適宜省略する。
【００３９】
振動発生部２１０は、非挿入部２５０の円筒壁部分に振動可能な状態で固定されて内蔵されており、非挿入部２５０と一体化している。また、振動発生部２１０は、後述する貫通路２３１に沿うように配置されている。振動発生部２１０の詳細については、後述する。
【００４０】
配線２２０は、振動発生部２１０の振動子２１１と後述する駆動部１５０とを接続するケーブルである。配線２２０の一端は、振動子２１１に接続されている。また、配線２２０の他端は、駆動部１５０へ接続されている。
【００４１】
挿入部２３０は、外周に当接部材２４０が取り付けられており、当接部材２４０と共に、人体の外耳道内に挿入可能に形成されている。挿入部２３０は、振動を外耳道及び外耳道に満たされる水や海水、及び、空気に伝える。挿入部１３０は、後述する非挿入部２５０と接続される部分を除いて略円筒形状に形成されている。
【００４２】
当接部材２４０は、挿入部２３０の外周に着脱可能に取り付けられ、外耳道の内壁に直接当接する部材である。当接部材２４０は、例えば、シリコンゴムや軟質フォーム等により形成されており、肌触りの感触を良好にして装着時に痛くならず快適に装着可能とし、また、脱落防止の作用も有している。
また、当接部材２４０は、非挿入部２５０に設けられた振動発生部２１０の振動により挿入部２３０と共に振動する。
【００４３】
非挿入部２５０は、略円筒形状に形成されており、挿入部２３０と略直交する方向で挿入部２３０に繋がっている。本実施形態の非挿入部２５０は、挿入部２３０と一体で形成されているが、非挿入部と挿入部とを別々の部材により構成してもよい。ただし、非挿入部２５０は、挿入部２３０に対して振動発生部２１０が発生する振動を伝えることができるように接続されていることを要する。
非挿入部２５０の円筒壁部分には、上述したように、振動発生部２１０が固定されて内蔵されている。
【００４４】
挿入部２３０と非挿入部２５０の内部には、貫通路２３１が貫通形成されている。貫通路２３１は、挿入部２３０が外耳道内に挿入された状態においても外耳道を塞がないように外耳道内部と外部とを外耳道内部側から外部側へ向かうほど、断面積が大きくなる断面形状で繋ぐように略Ｌ字形状に折曲がった通路となっている。また、この貫通路２３１は、水がその表面張力により侵入を妨げられることなく容易に通過できるように、また、外界の音が大きく減衰することのないように、充分に大きな断面形状を有することが望ましい。
【００４５】
図５は、振動発生部２１０を振動部２１２の平面の法線方向から透視して示した図である。
図６は、図５中に矢印で示したＤ−Ｄ断面を示す図である。
振動発生部２１０は、振動子２１１と、振動部２１２と、両面テープ２１３と、枠部材２１４と、基材２１５とを備えている。
【００４６】
振動子２１１は、アンプ部１５２により増幅された可聴周波数帯域の音響信号に基づいて、駆動部１５０が生成した駆動信号により駆動されて、音響信号に応じた振動を行う。また、振動子２１１は、両面テープ２１３を用いて振動部２１２に対して全面が貼り付けられており、振動子２１１の振動は、そのまま振動部２１２へ伝わる。
【００４７】
本実施形態の振動子２１１は、圧電セラミックを用いた圧電バイモルフ素子であり、ベンディングモード（撓み振動）で駆動する。振動子２１１に使用する圧電材料は、高変位な圧電材料を積層した素子であり、アンプから音響信号に忠実な電圧を圧電素子へ印加することにより、振動子２１１は、（結果として）音響信号を再現するように振動する。
【００４８】
振動部２１２は、薄板状の部材であり、周縁部分が基材２１５に対して接着又は両面テープを用いて固定されている。また、振動部２１２の中心付近には、上述したように振動子２１１が両面テープ２１３により貼り付けられている。したがって、振動部２１２は、振動子２１１が振動すると、振動子２１１の撓み振動と共に撓み振動を行う。
【００４９】
両面テープ２１３は、振動子２１１と振動部２１２とを接合するための接着部材である。なお、振動子２１１と振動部２１２との接合は、両面テープに限らず、接着剤を用いて接合してもよい。
【００５０】
枠部材２１４は、振動発生部２１０の振動部２１２とは反対側、及び、外周領域を形成する部材である。枠部材２１４と振動子２１１との間には、隙間Ｓが設けられている。この隙間Ｓを設けることにより、振動子２１１及び振動部２１２の振動を阻害することを防止できる。なお、隙間Ｓの部分には、振動を阻害しないような柔軟な素材、例えば、スポンジ状のエラストマー部材等を設けてもよい。
【００５１】
上述した振動部２１２及び枠部材２１４は、振動子２１１を内蔵するケースとして機能しており、振動子を破断しないよう、人の押し圧力で生じる曲げに強い樹脂や金属等により形成されることが望ましい。
【００５２】
基材２１５は、振動部２１２と枠部材２１４とを接続する部材であり、枠部材２１４の内側であって、外周壁部分に沿って振動子２１１を囲むように配置されている。ただし、基材２１５は、振動子２１１には、接触しないように設けられている。
【００５３】
第２実施形態の音声振動出力装置２００における音声に応じた振動の伝達形態は、第１実施形態の音声振動出力装置１００と同様である。
【００５４】
第２実施形態の音声振動出力装置２００では、非挿入部２５０を設け、この非挿入部２５０に振動発生部２１０を設けた。よって、第２実施形態の音声振動出力装置２００は、第１実施形態の音声振動出力装置１００よりも大きな振動子を設けることができるので、より大きな振動を出すことができる。
また、挿入部２３０は、振動子の形状等の制約を受けないので、耳へ装着した時のフィット感を重視した形状に形成されることが可能である。また、同様な理由から、第２実施形態の音声振動出力装置２００では、挿入部２３０の長さを短くすることができ、第１実施形態の音声振動出力装置１００よりも出っ張り感が軽減される。また、利用者は、第２実施形態の音声振動出力装置２００を装着した状態であっても、潜水服や水中メガネバンド等を耳の上に当てることができる。
【００５５】
（第３実施形態）
図７は、第３実施形態の音声振動出力装置３００を第１実施形態の図２と同様な方向から見た図である。
第３実施形態の音声振動出力装置３００は、挿入部３３０の形状が異なり、当接部材１４０に相当する部分を持たない他は、第１実施形態と同様な形態をしている。よって、前述した第１実施形態と同様の機能を果たす部分には、同一の符号を付して、重複する説明を適宜省略する。
【００５６】
挿入部３３０は、人体の外耳道内に挿入可能に形成されている。また、挿入部３３０の外周部には、貫通路３３１が４つ設けられている。この貫通路３３１は、挿入部３３０の周方向において均等に配置されている。貫通路３３１は、第１実施形態の貫通路１３１と同様な機能を有している。
また、挿入部３３０の中央には、第１実施形態と同様に振動子１１１が配置されている。
【００５７】
以上説明した第３実施形態によれば、貫通路３３１が外周側に開放された形態に形成されているので、水中で使用した後等に、貫通路３３１に浸水した水を素早く乾かすことができ、メンテナンス性を向上できる。
【００５８】
以上、この発明の実施形態につき、図面を参照して詳述してきたが、具体的な構成はこの実施形態に限られるものではなく、この発明の要旨を逸脱しない範囲の設計等も含まれる。
【００５９】
（変形形態）
（１）第１及び第２実施形態において、挿入部１３０，２３０には、当接部材１４０，２４０を設けた例を挙げて説明した。これに限らず、例えば、挿入部は、当接部材を設けずに直接外耳道内に接触するようになっていてもよい。
【００６０】
（２）各実施形態において、音声振動出力装置１００，２００，３００は、再生機器１６０と有線接続されている例を挙げて説明した。これに限らず、例えば、音声振動出力装置への音響信号の伝達を無線により行うようにしてもよい。
【００６１】
（３）第１実施形態及び第３実施形態において、振動子１１１の代わりに、第２実施形態の振動発生部２１０を用いてもよい。また、実施形態２において、振動発生部２１０の代わりに振動子１１１を用いてもよい。
【００６２】
（４）第２実施形態において、非挿入部２５０は、円筒状ではなく、棒状でも構わない。この場合、挿入部２３０の円筒は、外側に向かって開放されている形状とする。
【００６３】
（５）各実施形態において、貫通路（１３１，２３１，３３１）への水の侵入を容易にするため、超親水性の表面コーティングを貫通路面に施してもよい。また、水中から陸上に移動したときに排水を容易にするため、装置外装面全体又は装置外装面の一部まで貫通路面と同様の超親水性コーティングを施し、超親水性を持つ面が貫通路面と連続するようにしてもよい。さらに、超親水コーティングを施した貫通路面の貫通する方向に一筋の撥水性コーティングを施すこともよい。さらに、親水性と撥水性を高めるため貫通路面を粗く表面処理を施してもよい。
【００６４】
なお、第１実施形態から第３実施形態及び変形形態は、適宜組み合わせて用いることもできるが、詳細な説明は省略する。
【符号の説明】
【００６５】
１００    音声振動出力装置
１１１    振動子
１２０    配線
１３０    挿入部
１３１    貫通路
１４０    当接部材
１５０    駆動部
１５１    イコライザ部
１５２    アンプ部
１６０    再生機器
１６１    出力部
２００    音声振動出力装置
２１０    振動発生部
２１１    振動子
２１２    振動部
２１３    両面テープ
２１４    枠部材
２１５    基材
２２０    配線
２３０    挿入部
２３１    貫通路
２４０    当接部材
２５０    非挿入部
３００    音声振動出力装置
３３０    挿入部
３３１    貫通路
Ｓ        隙間
【図１】
2014107828.tif 000003
【図２】
2014107828.tif 000004
【図３】
2014107828.tif 000005
【図４】
2014107828.tif 000006
【図５】
2014107828.tif 000007
【図６】
2014107828.tif 000008
【図７】
2014107828.tif 000009